(57)【特許請求の範囲】
【請求項１】
太陽光発電パネルを支持する架台の梁部材に太陽光発電パネルを固定するための太陽光発電パネル用固定具であって、
前記太陽光発電パネルの周縁には額縁状のパネル枠体が嵌め込まれると共に、当該パネル枠体は断面視コ字状に形成されて当該パネル枠体の下フランジと前記太陽光発電パネルの下面との間に隙間が設けられており、
前記梁部材の上面には、当該梁部材の長手方向に延在するガイド溝が形成されており、
前記太陽光発電パネル用固定具は、
前記梁部材の上面と当該梁部材上に載置される前記パネル枠体の前記下フランジの上面に跨って配置される本体部であって、前記梁部材の上面に載置される第１領域部と前記下フランジの上面に載置される第２領域部を有する本体部と、
前記本体部を前記梁部材に押圧することで前記第２領域部と前記梁部材との間に前記パネル枠体の前記下フランジを挟着する挟着手段と、
を備え、
前記挟着手段は、前記ガイド溝に挿入されると共に当該ガイド溝内をスライド自在なスライド部材と、止着用ボルトと、を有し、
前記本体部の上面側から下面側に向けて当該本体部に挿通された前記止着用ボルトが、前記ガイド溝に挿入された状態の前記スライド部材に螺合し、締付けられることで、前記本体部が前記梁部材に押圧され、
前記本体部は、
前記第１領域部の下面から突出し、前記本体部が前記梁部材に押圧されると前記梁部材の上面に突き刺さることで当該梁部材に対する当該第１領域部の位置ずれを抑制する第１突出ピンと、
前記第２領域部の下面から突出し、前記本体部が前記梁部材に押圧されると前記下フランジの上面に突き刺さることで当該下フランジに対する当該第２領域部の位置ずれを抑制する第２突出ピンと、
を有する、
太陽光発電パネル用固定具。
【請求項２】
前記本体部は、前記第１領域部よりも前記第２領域部の部材厚が小さい、請求項１に記
載の太陽光発電パネル用固定具。
【請求項３】
前記本体部における前記第１領域部と前記第２領域部との境界部には、前記本体部の下面に対して垂直に立設された一直線状の段差壁が形成されている、
請求項２に記載の太陽光発電パネル用固定具。
【請求項４】
本体部における前記第１突出ピンの先端高さと前記第２突出ピンの先端高さの差が、前記下フランジの厚さに等しい寸法となるように設計されている、
請求項１から３の何れか一項に記載の太陽光発電パネル用固定具。
【発明の詳細な説明】
【技術分野】
【０００１】
本発明は、太陽光発電パネル用固定具に関する。
【背景技術】
【０００２】
近年、環境保護、省資源、ＣＯ２削減等の観点から、太陽エネルギーを利用して発電を行う太陽光発電システムが急速に普及しており、より大きな発電量を得るために複数枚の太陽光発電パネルを縦横に平面的に並べた太陽光発電アレイが一般化している。
【０００３】
ところで、太陽光発電パネルを支持する架台に太陽光発電パネルを平面的（２次元的）に並設する場合、従来においては、隣接する太陽光発電パネルの対向する端縁部同士に跨るようにして上方から押え金具によって押さえ付けながら梁部材側にボルト、ナット等を用いて押え金具を固定するようにしていた。この場合、作業者は、太陽光発電パネル用架台の上に乗って太陽光発電パネルの取り付け作業を行う必要があり、作業性が良いとは言えなかった。
【０００４】
これに関連して、特許文献１には、傾斜架台のパネル載置面が前後方向または横方向に延設された互いに平行な複数の梁部材からなり、 パネル載置面に梁部材に沿って並設さ
れる方形板状の太陽発電パネルは、パネル本体の周縁に嵌めた額縁状の枠体を有し、枠体は断面がコ字状に形成されて枠体の下側折り曲げ部とパネル本体の下面の間に隙間が設けられており、並設された内、一番外側の太陽発電パネルの外側の端縁を梁部材に取着する第１の取り付け金具と、隣接する太陽発電パネルの対向する端縁を梁部材に取着する第２の取り付け金具を備え、 第１の取り付け金具は、全体が上向きに開口した略コ字状に形
成されて内部に梁部材を挿入可能な金具本体の梁部材の軸方向に見て左右両側の上端部に左右対称に、太陽発電パネルの枠体の下側折り曲げ部を差し込み可能な差し込み溝部と、差し込み溝部の上縁から側方に延設されて太陽発電パネルの枠体の下側折り曲げ部の上面に当接する当接部とを形成し、金具本体に梁部材を挿入し、かつ、太陽発電パネルの枠体の下側折り曲げ部を左右の差し込み溝部に差し込んだ状態で金具本体の底部に螺合された止めボルトを回して止めボルトの先端を梁部材の下面に押圧し、当接部により太陽発電パネルの枠体の下側折り曲げ部を梁部材に押圧して太陽発電パネルの端縁を固定可能とし、第２の取り付け金具は、全体が上向きに開口したコ字状に形成されて内部に梁部材を挿入可能な金具本体の梁部材の軸方向に見て左右の上端部に左右対称及び前後対称に、太陽発電パネルの枠体の下側折り曲げ部を差し込み可能な差し込み溝部と、差し込み溝部の上縁から側方に延設されて太陽発電パネルの枠体の下側折り曲げ部の上面に当接する当接部とを形成し、金具本体に梁部材を挿入し、かつ、隣接する太陽発電パネルの対向する端縁の内、梁部材の軸方向に見て前側の太陽発電パネルの枠体の下側折り曲げ部を金具本体の前側の左右の差し込み溝部に差し込み、隣接する太陽発電パネルの対向する端縁の内、後側の太陽発電パネルの枠体の下側折り曲げ部を金具本体の後側の左右の差し込み溝部に差し込み、金具本体の底部の前後に螺合された２つの止めボルトを回して各止めボルトの先端を梁部材の下面に押圧し、前側の左右の当接部により前側の太陽発電パネルの枠体の下側折り曲げ部を梁部材に押圧し、後側の左右の当接部により後側の太陽発電パネルの枠体の下側折り曲げ部を梁部材に押圧し、隣接する太陽発電パネルの対向する端縁を固定可能とした太陽光発電装置が開示されている。
【先行技術文献】
【特許文献】
【０００５】
【特許文献１】特開２０１６−４２７５４号公報
【発明の概要】
【発明が解決しようとする課題】
【０００６】
特許文献１に記載された太陽光発電装置によれば、架台のパネル載置面の下側から、第１、第２の取り付け金具を用いて複数の太陽発電パネルをパネル載置面に並べて取着することができ、太陽発電パネルの上に乗って取り付け作業をしなくて済む。しかしながら、特許文献１に記載された太陽光発電装置は、架台に取着する太陽発電パネルが一番外側に位置するのかどうかに応じて種類の異なる取り付け金具を使い分ける必要があり、作業者の手間の増加や、製作コストの増加を招くという課題があった。また、特許文献１に記載された太陽光発電装置においては、各取り付け金具の差し込み溝部から延設された当接部によって太陽発電パネルの枠体の下側折り曲げ部を梁部材に押圧することで太陽発電パネルを架台に固定しているが、梁部材に対する太陽発電パネルの固定度を高めることについて改善の余地があると考えられる。
【０００７】
本発明は、上記の問題に鑑みてなされたものであって、架台に載置される太陽光発電パネルを、パネル下面側から簡単に取り付けることができ、しかも、架台に対する太陽光発電パネルの固定度を従来に比べて高めることの可能な技術を提供することを、その目的とする。
【課題を解決するための手段】
【０００８】
上記課題を解決するため、本発明は、以下の手段を採用した。
即ち、本発明は、太陽光発電パネルを取り付ける架台の梁部材に太陽光発電パネルを固定するための太陽光発電パネル用固定具であって、前記太陽光発電パネルの周縁には額縁状のパネル枠体が嵌め込まれると共に、当該パネル枠体は断面視コ字状に形成されて当該パネル枠体の下フランジと前記太陽光発電パネルの下面との間に隙間が設けられており、前記太陽光発電パネル用固定具は、前記梁部材の上面と当該梁部材上に載置される前記パネル枠体の前記下フランジの上面に跨って配置される本体部であって、前記梁部材の上面に載置される第１領域部と前記下フランジの上面に載置される第２領域部を有する本体部と、前記本体部を前記梁部材に押圧することで前記第２領域部と前記梁部材との間に前記パネル枠体の前記下フランジを挟着する挟着手段と、を備え、前記本体部は、前記第１領域部の下面から突出し、前記梁部材の上面に突き刺さることで当該梁部材に対する当該第１領域部の位置ずれを抑制する第１突出ピンと、前記第２領域部の下面から突出し、前記下フランジの上面に突き刺さることで当該下フランジに対する当該第２領域部の位置ずれを抑制する第２突出ピンと、を有する。
【０００９】
本発明に係る太陽光発電パネル用固定具によれば、梁部材の上面とパネル枠体の下フランジの上面の双方に跨るようにして配置された本体部が、挟着手段によって梁部材に押圧されることで、本体部の第２領域部と梁部材の上面との間にパネル枠体の下フランジが挟着される結果、架台に太陽光発電パネルを取着することができる。その際、取付け対象となる太陽発電パネルが架台に対して一番外側に位置するかどうかに関わらず、同一の太陽光発電パネル用固定具を用いて太陽光発電パネルを架台に取り付けることができる。つまり、単一種類の太陽光発電パネル用固定具を用いて、架台のパネル載置面の下側から簡単に太陽光発電パネルをパネル載置面に取着することができるため、従来に比べて取り付け作業の労力を軽減することができる。
【００１０】
更に、本発明に係る本体部によれば、第１突出ピン及び第２突出ピンを有している。これにより、第１領域部の下面から突出する第１突出ピンを梁部材の上面に突き刺し、第２領域部当接部の下面から突出する第２突出ピンをパネル枠体の下フランジの上面に突き刺すことで、梁部材に対するパネル枠体の下フランジの相対位置ずれを抑制することができる。その結果、架台に対する太陽光発電パネルの固定度を従来に比べて高めることができる。
【発明の効果】
【００１１】
本発明によれば、架台に載置される太陽光発電パネルを、パネル下面側から簡単に取り付けることができ、しかも、架台に対する太陽光発電パネルの固定度を従来に比べて高めることができる。
【図面の簡単な説明】
【００１２】
【図１】図１は、実施形態に係る太陽光発電装置の斜視図である。
【図２】図２は、実施形態に係る太陽光発電装置の上面図である。
【図３Ａ】図３Ａは、実施形態に係る裏止め固定金具の分解斜視図である。
【図３Ｂ】図３Ｂは、実施形態に係る裏止め固定金具の斜視図である。
【図４】図４は、実施形態に係る裏止め固定金具の本体部を示す図である。
【図５】図５は、実施形態に係るレール部材の詳細構造を説明する図である。
【図６】図６は、実施形態に係る裏止め固定金具を用いた太陽光発電パネルの固定方法について説明する図である。
【図７】図７は、実施形態に係る架台に対する太陽光発電パネルの取り付け構造を示す図である。
【発明を実施するための形態】
【００１３】
次に、本発明の実施形態について図面に基づいて説明する。以下の説明は例示であり、本発明は以下の内容に限定されるものではない。
【００１４】
図１は、実施形態に係る太陽光発電装置１の斜視図である。図１は、実施形態に係る太陽光発電装置１の上面図である。太陽光発電装置１は、太陽光発電パネル用架台（以下、単に「架台」という）２と、この架台２に設置された複数の太陽光発電パネル３等を備える。架台２は、太陽光発電パネル３を支持するための台である。本実施形態における架台２には、複数の太陽光発電パネル３が縦横２次元的に配列されている。但し、図１においては、作図上、太陽光発電パネル３の一部のみを図示している。
【００１５】
架台２は、一定間隔に設けられた複数の支柱２１、支柱２１の頂部に設けられた受け桟２２、支柱２１および受け桟２２を連結する方杖部材２４、受け桟２２上に設けられるレール部材２３等を有する。支柱２１は、例えば地盤等の内部に先端側が埋め込まれて立設した支柱杭である。図１中、複数の支柱２１が配列する方向を「Ｘ方向」とする。各支柱２１の頂部には、受け桟２２がＸ方向に直交するＹ方向に延伸する態様で設けられている。受け桟２２は、支柱２１に対して傾斜姿勢で取り付けられている。方杖部材２４は、一端側が受け桟２２に連結されると共に他端が支柱２１に連結されることでこれらの間に斜めに架け渡された斜材である。なお、支柱２１に対する受け桟２２の傾斜角度は、変更可能であってもよい。
【００１６】
図１に示すように、レール部材２３は、受け桟２２上に架け渡された横架部材であり、本発明における梁部材に相当する。レール部材２３は、受け桟２２に対して直交方向に延伸して設けられている。本実施形態における架台２は、複数のレール部材２３を有し、各レール部材２３は一定間隔毎にＸ方向に沿って配列されている。また、詳しくは後述するが、レール部材２３の上面には、ガイド溝２３１が長手方向に沿って設けられている。
【００１７】
次に、太陽光発電パネル３について説明する。太陽光発電パネル３は、複数の太陽電池が平面的に並べられて相互接続されたものであり、本実施形態では略矩形平面形状を有している。太陽光発電パネル３の周縁には、額縁状のパネル枠体４が嵌め込まれている。パネル枠体４は、側面４１と、側面４１の上端から垂直に折り込まれた上フランジ４２と、側面４１の下端から垂直に折り込まれた下フランジ４３を含み、断面視コ字状に形成され
ている（図６、図７を参照）。
【００１８】
図６に示すように、パネル枠体４の高さ方向における上フランジ４２側には、太陽光発電パネル３を嵌め込むための嵌合溝４４が設けられている。嵌合溝４４の溝幅は太陽光発電パネル３の厚さに対応しており、太陽光発電パネル３の周縁が嵌合溝４４に嵌め込まれることで、パネル枠体４が太陽光発電パネル３と一体に固定されている（図１を参照）。また、図６及び図７に示すように、パネル枠体４は、上フランジ４２に比べて下フランジ４３の方が長く形成されている。また、太陽光発電パネル３の厚さ寸法は、パネル枠体４の高さ寸法の数分の一程度となっている。したがって、太陽光発電パネル３の周縁が嵌合溝４４に嵌め込まれた状態において、パネル枠体４の下フランジ４３と太陽光発電パネル３の下面３ａとの間には、隙間（間隙部）Ｓが設けられている。
【００１９】
図３Ａおよび図３Ｂは、本実施形態における裏止め固定金具５を説明する図である。図３Ａは、裏止め固定金具５の分解斜視図である。図３Ｂは、裏止め固定金具５の斜視図である。裏止め固定金具５は、太陽光発電パネル３の裏面（下面）側から太陽光発電パネル３をレール部材２３に固定するための固定部材である。図４は、実施形態に係る裏止め固定金具５の本体部を示す図である。図５は、実施形態に係るレール部材２３の詳細構造を説明する図である。図６及び図７は、実施形態に係る架台２に対する太陽光発電パネル３の取り付け構造を示す図である。即ち、裏止め固定金具５を用いた太陽光発電パネル３の固定方法を説明する図である。
【００２０】
図３Ａ、図３Ｂ、図４等に示すように、裏止め固定金具５は、本体部５１、スライド部材５２、止着用ボルト５３等を含んで構成されている。止着用ボルト５３は、所謂キャップボルト（六角穴付ボルト）であり、ネジ山が形成されたネジ軸部５３ａと、ネジ軸部５３ａの頂部に連設された頭部５３ｂを有している。
【００２１】
本体部５１は、略四角形の平面形状を有する金属板材である。図７に示すように、裏止め固定金具５の本体部５１は、レール部材２３の上面２３ａと、このレール部材２３上に載置されるパネル枠体４の下フランジ４３の上面４３ａに跨って配置される。ここで、図４に示す符号５１ａは本体部５１の「第１辺」であり、符号５１ｂは本体部５１の「第２辺」である。本実施形態において、第１辺５１ａおよび第２辺５１ｂは互いに直交しており、本実施形態では第１辺５１ａがレール部材２３の長手方向に沿い、第２辺５１ｂがレール部材２３の幅方向に沿うように、本体部５１がレール部材２３上に設置される。また、図４に示す符号５１ｃは本体部５１の「上面」、符号５１ｄは本体部５１の「下面」である。
【００２２】
図３および図４に示すように、本体部５１は、相対的に部材厚さが大きい厚肉部５１１（第１領域部）と、この厚肉部５１１よりも部材厚さが小さい薄肉部５１２（第２領域部）を含んでいる。本体部５１の厚肉部５１１は、太陽光発電パネル３をレール部材２３に取着する際、レール部材２３の上面２３ａに当接する部位である。一方、本体部５１の薄肉部５１２は、太陽光発電パネル３をレール部材２３に取着する際、パネル枠体４の下フランジ４３の上面４３ａに当接する部位である。図３および図４に示すように、本体部５１における厚肉部５１１と薄肉部５１２との境界部５１３は一直線状に形成されており、第２辺５１ｂに平行となっている。また、上記の境界部５１３には、本体部５１の下面５１ｄに対して垂直に立設される段差壁５１４が形成されており、境界部５１３（段差壁５１４）を境に厚肉部５１１に比べて薄肉部５１２の方が一段薄くなっている。
【００２３】
本体部５１における厚肉部５１１には円形断面を有する貫通孔５５が穿設されている。貫通孔５５の内径は、止着用ボルト５３のネジ軸部５３ａの外径よりも僅かに大きく、このネジ軸部５３ａを挿通させることが可能である。また、本体部５１における貫通孔５５
の内径は、止着用ボルト５３の頭部５３ｂの外径よりも小さく、これによって貫通孔５５からの止着用ボルト５３の抜け落ちが抑制されるようになっている。また、貫通孔５５は、本体部５１の平面略中央部に配置されている。
【００２４】
また、図３および図４に示すように、本体部５１の下面５１ｄにおける四隅には突出ピンが突設されている。ここで、本体部５１の下面５１ｄのうち、厚肉部５１１に設けられている突出ピンを第１突出ピン５６と呼び、薄肉部５１２に設けられている突出ピンを第２突出ピン５７と呼ぶ。図３および図４に示すように、本体部５１における厚肉部５１１の各隅部には一対の第１突出ピン５６が突設されており、薄肉部５１２の各隅部には一対の第２突出ピン５７が突設されている。本実施形態において、本体部５１における第１突出ピン５６の先端高さと第２突出ピン５７の先端高さの差が、パネル枠体４の下フランジ４３の厚さに等しい寸法となるように設計されている。
【００２５】
次に、裏止め固定金具５のスライド部材５２について説明する。スライド部材５２は、止着用ボルト５３におけるネジ軸部５３ａの先端側に連結されている。より具体的には、スライド部材５２には、ネジ山が形成された貫通孔５２１を有しており、止着用ボルト５３におけるネジ軸部５３ａを貫通孔５２１のネジ山に螺合させることで、スライド部材５２が止着用ボルト５３の先端側に取り付けられている。
【００２６】
ここで、図５及び図６に示すように、レール部材２３の上面２３ａにはガイド溝２３１が開口している。また、レール部材２３におけるガイド溝２３１の溝底２３１ａから略垂直に立設する一対の側壁２３１ｂ，２３１ｃには、それぞれ係止片２３１ｄ，２３１ｅがガイド溝２３１内側に向かって突設されている。係止片２３１ｄは、側壁２３１ｂの上端の位置に設けられている。一方、係止片２３１ｅは、側壁２３１ｃにおける上端から少し低い位置に設けられており、係止片２３１ｄに比べて相対的に低位に配置されている。係止片２３１ｄ，２３１ｅは、レール部材２３（ガイド溝２３１）の長手方向に沿って延設されている。
【００２７】
本実施形態においては、裏止め固定金具５のスライド部材５２が、レール部材２３のガイド溝２３１内をスライド自在に構成されており、これによってレール部材２３の長手方向における任意の位置に、裏止め固定金具５を移動させることができる。また、レール部材２３は、ガイド溝２３１の両側部に設けられている係止片２３１ｄ，２３１ｅは、段違いに設けられている（即ち、異なる高さに設けられている）ため、姿勢を斜めにすることでレール部材２３の上面２３ａ側からガイド溝２３１内に滑り込ませ、ガイド溝２３１内に収容できる。
【００２８】
次に、図６及び図７を参照して、裏止め固定金具５を用いた太陽光発電パネル３（パネル枠体４）の固定方法について説明する。架台２におけるレール部材２３上の所定位置に、パネル枠体４にはめ込まれた状態の太陽光発電パネル３を載置する。図１に示す例では、一つの太陽光発電パネル３当たり、レール部材２３とパネル枠体４とが直交方向から交差する直交交差部ＣＰが４カ所形成される。本実施形態では、このようなレール部材２３とパネル枠体４の各直交交差部ＣＰに裏止め固定金具５を配置し、架台２のレール部材２３に太陽光発電パネル３を固定する。
【００２９】
即ち、レール部材２３とパネル枠体４の直交交差部ＣＰにおいて、まず、レール部材２３のガイド溝２３１内にスライド部材５２を滑り込ませる。次いで、本体部５１の上面５１ｃ側から下面５１ｄ側に向けて止着用ボルト５３のネジ軸部５３ａを挿通させた後、挿通させた止着用ボルト５３のネジ軸部５３ａをガイド溝２３１内に収容されているスライド部材５２の貫通孔５２１に螺合させる。これにより、スライド部材５２がガイド溝２３１に受け入れられた状態で、裏止め固定金具５が組み上がる。ここで、架台２のレール部
材２３は、レール部材２３の長手方向における一端側から他端側に亘ってガイド溝２３１が形成されている。そのため、レール部材２３とパネル枠体４の直交交差部ＣＰにおいて、レール部材２３の上面２３ａ側からガイド溝２３１内へと簡単にスライド部材５２を挿設することができる。なお、上記のようにスライド部材５２は、ガイド溝２３１内をスライド自在であるため、直交交差部ＣＰから離れた位置でスライド部材５２をガイド溝２３１内に挿入した後、ガイド溝２３１内を直交交差部ＣＰまでスライド部材５２をスライド移動させてもよい。
【００３０】
そして、図７に示すように、レール部材２３上に載置した太陽光発電パネル３を取り囲むパネル枠体４の下フランジ４３を、裏止め固定金具５によってレール部材２３に固定する。より具体的には、裏止め固定金具５の本体部５１を、図示のように、パネル枠体４の下フランジ４３とレール部材２３の双方に跨るようにして配置する。その際、本体部５１の厚肉部５１１は、レール部材２３の上面２３ａに載置され、薄肉部５１２がパネル枠体４の下フランジ４３の上面４３ａに載置される。これにより、本体部５１の厚肉部５１１に設けられている第１突出ピン５６がレール部材２３の上面２３ａに位置付けられ、本体部５１の薄肉部５１２に設けられている第２突出ピン５７がパネル枠体４の下フランジ４３の上面４３ａに位置付けられる。更に、本実施形態における本体部５１は、厚肉部５１１と薄肉部５１２の境界部５１３に段差壁５１４が一直線状に設けられているため、この段差壁５１４に下フランジ４３を突き合わせることで、裏止め固定金具５（本体部５１）の位置決めを容易に且つ正確に行うことができる。
【００３１】
そして、本体部５１の位置決めの完了後、止着用ボルト５３の頭部５３ｂに形成された六角穴に六角を嵌め合せ、回転させることで止着用ボルト５３の締付けを行う。これにより、レール部材２３の上面２３ａに対して本体部５１が押し付けられる（押圧される）こととなる。その結果、裏止め固定金具５における本体部５１の厚肉部５１１に設けられている第１突出ピン５６がレール部材２３の上面２３ａに突き刺さることで、レール部材２３に対する厚肉部５１１の位置ずれが抑制される。また、本体部５１の薄肉部５１２に設けられている第２突出ピン５７がパネル枠体４の下フランジ４３の上面４３ａに突き刺さることで、下フランジ４３に対する薄肉部５１２の位置ずれが抑制される。その際、本体部５１の厚肉部５１１がレール部材２３の上面２３ａに面接触し、本体部５１の薄肉部５１２がパネル枠体４の下フランジ４３の上面４３ａに面接触した状態となる。これにより、裏止め固定金具５の本体部５１を介して、架台２のレール部材２３に対するパネル枠体４（太陽光発電パネル３）の相対位置ずれを抑制することができる。その結果、架台２に対する太陽光発電パネル３の固定度を従来に比べて高めることができる。また、図６に示すように、本実施形態によれば、単一種類の裏止め固定金具５を用いて、架台２における太陽光発電パネル３の下側から簡単に太陽光発電パネル３をレール部材２３に固定できるため、従来に比べて取り付け作業の労力を軽減することができる。なお、裏止め固定金具５の止着用ボルト５３を締め付ける際、本体部５１の厚肉部５１１における縁部を支点として薄肉部５１２の第２突出ピン５７に先行して厚肉部５１１の第１突出ピン５６が相手側の部材に突き刺さるように構成されていてもよい。これにより、裏止め固定金具５を一段とガタツキなく取り付けることができ、太陽光発電パネル３をレール部材２３により強固に固定することができる。
【００３２】
なお、図６及び図７に示す符号６は、太陽光発電パネル３の表面（上面）側から太陽光発電パネル３をレール部材２３に対して押さえ付けて固定する「Ｔ型押え金具」である。Ｔ型押え金具６は、断面Ｔ型の本体部６１、スライド部材６２、止着用ボルト６３等を含んで構成されている。スライド部材６２は、裏止め固定金具５のスライド部材５２と共通であり、レール部材２３におけるガイド溝２３１内をスライド自在に収容される。また、Ｔ型押え金具６の止着用ボルト６３は、裏止め固定金具５の止着用ボルト５３と長さだけが異なっており、止着用ボルト５３よりも止着用ボルト６３の方が長くなっている。
【００３３】
Ｔ型押え金具６の本体部６１には、止着用ボルト６３のネジ軸部６３ａを挿通させる円形断面を有する貫通孔が穿設されており、この貫通孔は止着用ボルト６３の頭部６３ｂの外形よりも小さくなっている。また、Ｔ型押え金具６の本体部６１は、太陽光発電パネル３を装着したパネル枠体４における上フランジ４２を挟持面６１ａによって挟持する一対の押さえ片６１０を有している。Ｔ型押え金具６は、図７に示すように、隣接する太陽光発電パネル３同士の間に装着される。Ｔ型押え金具６を用いて太陽光発電パネル３（パネル枠体４）を固定する場合、所期の位置にスライド部材６２をガイド溝２３１内に滑り込ませて挿入した後、本体部６１の上面側から止着用ボルト６３のネジ軸部６３ａを挿通させ、ネジ軸部６３ａをガイド溝２３１内に収容されているスライド部材６２に螺合させる。その際、本体部６１における各押さえ片６１０の挟持面６１ａをパネル枠体４における上フランジ４２上に載置した状態で、止着用ボルト６３を締め付けることで、押さえ片６１０の挟持面６１ａとレール部材２３の上面２３ａとの間に太陽光発電パネル３（パネル枠体４）が挟み込まれる結果、レール部材２３に対して太陽光発電パネル３が固定される。以上のように、Ｔ型押え金具６は、太陽光発電パネル３を上面側からレール部材２３に対して固定することができ、図７に示すように裏止め固定金具５と併用することで、太陽光発電パネル３をより堅固に固定することができる。なお、本実施形態では、Ｔ型押え金具６を用いた太陽光発電パネル３の固定は任意であり、裏止め固定金具５のみを用いて太陽光発電パネル３をレール部材２３に固定することができる。
【符号の説明】
【００３４】
１・・・太陽光発電装置
２・・・架台
３・・・太陽光発電パネル
４・・・パネル枠体
５・・・裏止め固定金具
５１・・・本体部
５２・・・スライド部材
５３・・・止着用ボルト
【図１】
0006623946.tif 000002
【図２】
0006623946.tif 000003
【図３Ａ】
0006623946.tif 000004
【図３Ｂ】
0006623946.tif 000005
【図４】
0006623946.tif 000006
【図５】
0006623946.tif 000007
【図６】
0006623946.tif 000008
【図７】
0006623946.tif 000009